(57)【要約】【課題】蓄電池の運用管理装置及び方法において、使用中における蓄電池における残存容量を把握することで今後の各種機器の使用計画を策定可能とする。【解決手段】蓄電池１０１の放電電流データから負荷特性を作成する負荷特性作成部１１と、蓄電池１０１の初期条件と負荷特性に基づいて蓄電池１０１の残容量を推定する残容量推定部１２と、蓄電池１０１の残容量に基づいて機器の使用計画を策定する機器使用計画策定部１３と、機器の使用計画に基づいて容量換算時間を算出する容量換算時間算出部１４と、蓄電池１０１の定格容量と機器の使用計画及び容量換算時間から算出される蓄電池１０１の必要総容量とを比較して機器の使用計画の是非を判定する判定部１５とを設けている。【選択図】図１
2014107113.tif 000002
【特許請求の範囲】
【請求項１】
蓄電池の放電電流データから負荷特性を作成する負荷特性作成部と、
前記蓄電池の初期条件と負荷特性に基づいて蓄電池の残容量を推定する残容量推定部と、
前記蓄電池の残容量に基づいて機器の使用計画を策定する機器使用計画策定部と、
前記機器の使用計画に基づいて容量換算時間を算出する容量換算時間算出部と、
前記蓄電池の定格容量と前記機器の使用計画及び容量換算時間から算出される前記蓄電池の必要総容量とを比較して前記機器の使用計画の是非を判定する判定部と、
を有することを特徴とする蓄電池の運用管理装置。
【請求項２】
前記判定部は、前記蓄電池から放電した使用容量と前記蓄電池の必要容量の合計値が前記蓄電池の定格容量以下となったとき、前記機器の使用計画を良好と判定することを特徴とする請求項１に記載の蓄電池の運用管理装置。
【請求項３】
前記判定部は、前記蓄電池の使用容量と必要容量の合計値が前記蓄電池の定格容量を超えたとき、前記機器の使用計画を不良と判定し、前記機器使用計画策定部は、前記機器の使用計画を変更することを特徴とする請求項２に記載の蓄電池の運用管理装置。
【請求項４】
前記蓄電池の充電計画を策定する充電計画策定部を設け、前記機器の使用計画の変更が困難であるとき、前記充電計画策定部は、前記蓄電池の充電計画を策定して充電を実行することを特徴とする請求項３に記載の蓄電池の運用管理装置。
【請求項５】
前記充電計画策定部は、前記蓄電池の充電電流と充電時間に基づいて充電量を算出し、残容量に充電量を加算して復元容量を算出することを特徴とする請求項４に記載の蓄電池の運用管理装置。
【請求項６】
前記判定部は、前記蓄電池の復元容量を加味して前記蓄電池の定格容量と前記蓄電池の必要容量を比較して前記機器の使用計画の是非を判定することを特徴とする請求項５に記載の蓄電池の運用管理装置。
【請求項７】
蓄電池の放電電流データから負荷特性を作成する工程と、
前記蓄電池の初期条件と負荷特性に基づいて蓄電池の残容量を推定する工程と、
前記蓄電池の残容量に基づいて機器の使用計画を策定する工程と、
前記機器の使用計画に基づいて容量換算時間を算出する工程と、
前記機器の使用計画及び容量換算時間から算出される前記蓄電池の必要総容量が前記蓄電池の定格容量以下となるように前記機器の使用計画を再策定する工程と、
を有することを特徴とする蓄電池の運用管理方法。
【請求項８】
前記機器の使用計画の再策定が困難であるとき、前記蓄電池の充電を実行することを特徴とする請求項７に記載の蓄電池の運用管理方法。
【発明の詳細な説明】
【技術分野】
【０００１】
本発明は、据え置き型の蓄電池に対する残存容量を推定する蓄電池の運用管理装置及び方法に関するものである。
【背景技術】
【０００２】
例えば、原子力発電プラントに設置される据え置き型の蓄電池は、設計想定に基づいて直流電源を供給する負荷に対して要求される放電時間が確保できるように、その蓄電池容量が設定されている。即ち、蓄電池は、想定した直流負荷に想定した時間だけ直流電力を供給することができる能力を有する必要があるとされている。そのため、蓄電池の残量がどれだけ残っているか、使用可能時間がどれだけの時間残っているのかを把握する必要がある。
【０００３】
従来の蓄電池の運用管理装置としては、例えば、下記特許文献１に記載されたものがある。この特許文献１に記載された蓄電池の放電残存時間予測装置は、放電残存時間算出手段と、放電終了時刻算出手段と、更改放電可能時間算出手段と、放電開始時刻更改手段と、開始時放電電流更改手段とを備え、更改放電可能時間算出手段が過去の放電パターンに合わせて放電を開始した放電開始時刻を変化させた定電流放電パターンに変換することで、放電残存時間算出手段が常に２段の放電パターンとして放電残存時間を求めるものである。
【先行技術文献】
【特許文献】
【０００４】
【特許文献１】特開２００８−１８５４７３号公報
【発明の概要】
【発明が解決しようとする課題】
【０００５】
上述した従来の蓄電池の運用管理装置では、２段の放電パターンに対する蓄電池の放電残存時間を求めている。ところが、蓄電池は、必要時に使用されて電力が消費されるものであり、常時、１００％充電されているとは限らない。即ち、蓄電池における使用中の残容量（放電によって消耗した蓄電池の残量）を把握することができず、想定外の使い方をした場合や想定どおり使い終わったあとその蓄電池がまだ使えるのか、もう使えないのか、充電が行なわれた場合の蓄電池の回復程度はどの程度なのか、このような使用中の蓄電池における残存容量を把握することはできない。
【０００６】
本発明は上述した課題を解決するものであり、使用中の蓄電池における残存容量を把握することで今後の各種機器の使用計画を策定可能とする蓄電池の運用管理装置及び方法を提供することを目的とする。
【課題を解決するための手段】
【０００７】
上記の目的を達成するための本発明の蓄電池の運用管理装置は、蓄電池の放電電流データから負荷特性を作成する負荷特性作成部と、前記蓄電池の初期条件と負荷特性に基づいて蓄電池の残容量を推定する残容量推定部と、前記蓄電池の残容量に基づいて機器の使用計画を策定する機器使用計画策定部と、前記機器の使用計画に基づいて容量換算時間を算出する容量換算時間算出部と、前記蓄電池の定格容量と前記機器の使用計画及び容量換算時間から算出される前記蓄電池の必要総容量とを比較して前記機器の使用計画の是非を判定する判定部と、を有することを特徴とするものである。
【０００８】
従って、判定部は、蓄電池の定格容量と、機器の使用計画及び容量換算時間から算出される蓄電池の必要総容量とを比較して機器の使用計画の是非を判定するため、今後の機器の運転計画を精度良く策定することができる。即ち、使用中の蓄電池における残存容量を把握することで今後の各種機器の使用計画を容易に策定することができる。
【０００９】
本発明の蓄電池の運用管理装置では、前記判定部は、前記蓄電池から放電した使用容量と前記蓄電池の必要容量の合計値が前記蓄電池の定格容量以下となったとき、前記機器の使用計画を良好と判定することを特徴としている。
【００１０】
従って、蓄電池の使用容量と必要容量の合計値が定格容量以下となったときに機器の使用計画が良好であると判定することで、機器の使用計画の是非を容易に判定することができる。
【００１１】
本発明の蓄電池の運用管理装置では、前記判定部は、前記蓄電池の使用容量と必要容量の合計値が前記蓄電池の定格容量を超えたとき、前記機器の使用計画を不良と判定し、前記機器使用計画策定部は、前記機器の使用計画を変更することを特徴としている。
【００１２】
従って、蓄電池の使用容量と必要容量の合計値が定格容量を超えたときに機器の使用計画が不良であると判定し、機器の使用計画を変更することで、安定した機器の使用計画を策定することができる。
【００１３】
本発明の蓄電池の運用管理装置では、前記蓄電池の充電計画を策定する充電計画策定部を設け、前記機器の使用計画の変更が困難であるとき、前記充電計画策定部は、前記蓄電池の充電計画を策定して充電を実行することを特徴としている。
【００１４】
従って、機器の使用計画の変更が困難であるときに蓄電池を充電することで、機器の使用計画を確実に策定することができる。
【００１５】
本発明の蓄電池の運用管理装置では、前記充電計画策定部は、前記蓄電池の充電電流と充電時間に基づいて充電量を算出し、残容量に充電量を加算して復元容量を算出することを特徴としている。
【００１６】
従って、蓄電池の復元容量を算出することで、充電完了時期を明確化することができる。
【００１７】
本発明の蓄電池の運用管理装置では、前記判定部は、前記蓄電池の復元容量を加味して前記蓄電池の定格容量と前記蓄電池の必要容量を比較して前記機器の使用計画の是非を判定することを特徴としている。
【００１８】
従って、蓄電池の充電完了時期を明確化して機器の使用計画を早期に策定することができる。
【００１９】
また、本発明の蓄電池の運用管理方法は、蓄電池の放電電流データから負荷特性を作成する工程と、前記蓄電池の初期条件と負荷特性に基づいて蓄電池の残容量を推定する工程と、前記蓄電池の残容量に基づいて機器の使用計画を策定する工程と、前記機器の使用計画に基づいて容量換算時間を算出する工程と、前記機器の使用計画及び容量換算時間から算出される前記蓄電池の必要総容量が前記蓄電池の定格容量以下となるように前記機器の使用計画を再策定する工程と、を有することを特徴とするものである。
【００２０】
従って、今後の機器の運転計画を精度良く策定することができる。即ち、使用中の蓄電池における残存容量を把握することで今後の各種機器の使用計画を容易に策定することができる。
【００２１】
本発明の蓄電池の運用管理方法では、前記機器の使用計画の再策定が困難であるとき、前記蓄電池の充電を実行することを特徴としている。
【００２２】
従って、機器の使用計画の再策定が困難であるときに蓄電池を充電することで、機器の使用計画を確実に策定することができる。
【発明の効果】
【００２３】
本発明の蓄電池の運用管理装置及び方法によれば、蓄電池の定格容量と機器の使用計画及び容量換算時間から算出される蓄電池の必要総容量とを比較して機器の使用計画の是非を判定するので、使用中の蓄電池における残存容量を把握することで今後の各種機器の使用計画を容易に策定することができる。
【図面の簡単な説明】
【００２４】
【図１】図１は、本発明の一実施例に係る蓄電池の運用管理装置を表すブロック構成図である。
【図２】図２は、本実施例の蓄電池の運用管理方法における蓄電池の負荷特性を設定するフローチャートである。
【図３】図３は、本実施例の蓄電池の運用管理方法を表すフローチャートである。
【図４】図４は、本実施例の蓄電池の運用管理方法における使用中の蓄電池の使用計画を策定するフローチャートである。
【図５】図５は、本実施例の蓄電池の運用管理方法における使用中の蓄電池の充電計画を策定するフローチャートである。
【発明を実施するための形態】
【００２５】
以下に添付図面を参照して、本発明に係る蓄電池の運用管理装置及び方法の好適な実施例を詳細に説明する。なお、この実施例により本発明が限定されるものではなく、また、実施例が複数ある場合には、各実施例を組み合わせて構成するものも含むものである。
【実施例】
【００２６】
図１は、本発明の一実施例に係る蓄電池の運用管理装置を表すブロック構成図、図２は、本実施例の蓄電池の運用管理方法における蓄電池の負荷特性を設定するフローチャート、図３は、本実施例の蓄電池の運用管理方法を表すフローチャート、図４は、本実施例の蓄電池の運用管理方法における使用中の蓄電池の使用計画を策定するフローチャート、図５は、本実施例の蓄電池の運用管理方法における使用中の蓄電池の充電計画を策定するフローチャートである。
【００２７】
本実施例の蓄電池の運用管理装置において、図１に示すように、制御部１０は、負荷特性作成部１１と、残容量推定部１２と、機器使用計画策定部１３と、容量換算時間算出部１４と、判定部１５と、充電計画策定部１６を有している。そして、この制御部１０は、蓄電池１０１と、交流電源が接続された充電器１０２と、表示部１０３とが接続されている。
【００２８】
負荷特性作成部１１は、蓄電池１０１の放電電流データから負荷特性を作成するものである。残容量推定部１２は、蓄電池１０１の初期条件（定格容量）と負荷特性に基づいて蓄電池１０１の残容量を推定するものである。機器使用計画策定部１３は、蓄電池１０１の残容量に基づいて各種機器の使用計画を策定するものである。容量換算時間算出部１４は、機器の使用計画に基づいて容量換算時間を算出するものである。判定部１５は、蓄電池１０１の定格容量と機器の使用計画及び容量換算時間から算出される蓄電池１０１の必要容量とを比較して機器の使用計画の是非を判定するものである。
【００２９】
ここで、判定部１５は、蓄電池１０１から放電した使用容量と蓄電池１０１の必要容量の合計値（必要総容量）が蓄電池１０１の定格容量以下となったとき、機器の使用計画を良好と判定する。一方、判定部１５は、蓄電池１０１の使用容量と必要容量の合計値（必要総容量）が蓄電池１０１の定格容量を超えたとき、機器の使用計画を不良と判定し、機器使用計画策定部１３は、機器の使用計画を変更する。
【００３０】
充電計画策定部１６は、蓄電池１０１の充電計画を策定するものである。判定部１５が機器の使用計画を不良と判定し、機器使用計画策定部１３が機器の使用計画を変更したとき、この機器の使用計画の変更が困難であったら、充電計画策定部１６は、蓄電池１０１の充電計画を策定して充電を実行する。
【００３１】
この場合、充電計画策定部１６は、蓄電池１０１の充電電流と充電時間に基づいて充電量を算出し、残容量に充電量を加算して復元容量を算出する。そして、判定部１５は、蓄電池１０１の復元容量を加味して蓄電池１０１の定格容量と蓄電池１０１の必要総容量を比較して機器の使用計画の是非を判定する。
【００３２】
そして、本実施例の蓄電池の運用管理方法は、蓄電池１０１の放電電流データから負荷特性を作成する工程と、蓄電池１０１の初期条件と負荷特性に基づいて蓄電池１０１の残容量を推定する工程と、蓄電池１０１の残容量に基づいて機器の使用計画を策定する工程と、機器の使用計画に基づいて容量換算時間を算出する工程と、機器の使用計画及び容量換算時間から算出される蓄電池１０１の必要総容量が蓄電池１０１の定格容量以下となるように機器の使用計画を再策定する工程と、を有する。そして、機器の使用計画の再策定が困難であるとき、蓄電池１０１の充電を実行する。
【００３３】
以下、本実施例の蓄電池の運用管理装置及び方法について、フローチャートを用いて具体的に説明する。
【００３４】
本実施例の蓄電池の運用管理方法における蓄電池１０１の負荷特性を設定する方法において、図２のフローチャートに示すように、ステップＳ２１にて、使用中の蓄電池１０１の使用履歴に基づいて放電電流（Ｉ）のデータを蓄積する。この場合、放電電流のデータ蓄積は、所定周期（例えば、１分周期）で行う。即ち、ステップＳ２２にて、データを蓄積してから所定時間が経過したかどうかを判定し、所定時間が経過していないと判定されたら、放電電流のデータ蓄積を継続し、所定時間が経過したと判定されたら、ステップＳ２３に移行する。
【００３５】
ステップＳ２３では、蓄電池１０１の放電が終了したかどうかを判定する。即ち、蓄電池１０１の電力を用いた各種機器の作動が停止したかどうかを判定する。ここで、蓄電池１０１の放電が終了していないと判定（Ｎｏ）されたら、ステップＳ２１に戻り、放電電流のデータ蓄積を継続する。一方、蓄電池１０１の放電が終了したと判定（Ｙｅｓ）されたら、ステップＳ２４に移行する。ステップＳ２４では、蓄電池１０１の負荷特性を設定する。即ち、縦軸に放電電流（Ｉ）をとり、横軸に放電時間（Ｔ）をとり、放電時間に対する放電電流のマップを作成する。このように途中まで使用された蓄電池１０１における負荷特性、つまり、使用履歴（使用容量）は、表示部１０３に表示されると共に、データとして図示しないメモリに記憶される。
【００３６】
次に、本実施例の蓄電池の運用管理方法について、具体的に説明する。図３のフローチャートに示すように、ステップＳ３１にて、蓄電池１０１の初期条件を入力する。蓄電池１０１の初期条件とは、例えば、蓄電池１０１の型式、定格容量、許容最低電圧、保守率、最低蓄電池使用温度などである。ステップＳ３２では、蓄電池１０１の初期条件と蓄電池１０１の負荷特性から容量換算時間（Ｋ）を設定する。この容量換算時間（Ｋ）は、蓄電池特性データベース３０に記憶されており、蓄電池１０１の初期条件と負荷特性から最適な容量換算時間（Ｋ）を選択する。即ち、放電時間（Ｔ）に対する容量換算時間（Ｋ）を表すマップが設定されており、このマップは、蓄電池１０１の初期条件としての蓄電池１０１の型式、許容最低電圧、保守率、最低蓄電池使用温度や負荷特性などに応じて複数設定されている。
【００３７】
ステップＳ３３では、蓄電池１０１の負荷計画、つまり、蓄電池１０１の残容量に基づいて各種機器の使用計画を策定し、表示部１０３に表示する。この場合、例えば、蓄電池１０１の負荷特性に基づいて蓄電池１０１の使用容量ＣＢを算出し、定格容量ＣＡからこの使用容量ＣＢを減算することで、蓄電池１０１の残容量ＣＤ（または、残容量率％）を算出することができる。この蓄電池１０１の残容量ＣＤ（または、残容量率％）に基づいて各種機器の使用計画を策定する。
【００３８】
そして、ステップＳ３４では、策定した各種機器の使用計画が実行不能であるかどうかを判定する。即ち、現在の蓄電池１０１の残容量ＣＤにより設定した機器を所定時間作動することができるかどうかを判定する。ここで、策定した各種機器の使用計画が実行できると判定されたら、そのまま機器の使用計画を実行する。一方、策定した各種機器の使用計画が実行不能であると判定されたら、機器の使用計画を変更するが、変更しても実行が不能であるときは、ステップＳ３５にて、充電による蓄電池１０１の容量復元計画を策定し、表示部１０３に表示する。そして、蓄電池１０１の充電後、策定した各種機器の使用計画が実行できると判定する。
【００３９】
ここで、上述したステップＳ３３で実行する蓄電池１０１の使用計画を策定する方法について説明する。図４のフローチャートに示すように、ステップＳ４１にて、今後予定される直流負荷の運用計画に基づいて、直流負荷（各種機器）ごとの投入時期と切離時間（蓄電池１０１の放電開始からの経過時間）を設定すると共に、そのときの直流負荷電流値を算出する。
【００４０】
ここでは、Ａ装置（電流値１０Ａ）にて、投入時期を３０分後、切離時間を４０分後に設定すると共に、Ｂ装置（電流値７Ａ）にて、投入時期を０分後、切離時間を３０分後に設定する。
【００４１】
ステップＳ４２では、策定した機器の使用計画に基づいて蓄電池１０１の負荷特性を見直す。つまり、蓄電池１０１における使用容量の負荷特性のマップに、機器の使用計画に基づいた必要容量ＣＥを加味したデータを加える。そして、ステップＳ４３にて、新しい蓄電池１０１の負荷特性による蓄電池１０１の必要総容量ＣＢＥを下記数式により算出する。
ＣＢＥ＝（１／Ｌ）｛Ｋ１Ｉ１＋Ｋ２（Ｉ２−Ｉ１）＋・・・＋Ｋｎ（Ｉｎ−Ｉｎ−１）
＋Ｋｎ−１（Ｉｎ＋１−Ｉｎ）＋Ｋｎ−２（Ｉｎ＋２−Ｉｎ＋１）｝
【００４２】
ここで、Ｌは、蓄電池１０１の経年変化による定量低下を表す保守率、Ｋ１、Ｋ２・・・Ｋｎ−１、Ｋｎ−２は、容量換算時間、Ｉ１、Ｉ２・・・Ｉｎ＋１、Ｉｎ＋２は、放電電流である。また、Ｋ１Ｉ１＋Ｋ２（Ｉ２−Ｉ１）＋・・・＋Ｋｎ（Ｉｎ−Ｉｎ−１）の項は、使用容量ＣＢに対応するものであり、Ｋｎ−１（Ｉｎ＋１−Ｉｎ）＋Ｋｎ−２（Ｉｎ＋２−Ｉｎ＋１）の項は、機器の使用計画におけるＡ装置とＢ装置の使用容量に対応するものである。
【００４３】
ステップＳ４４にて、蓄電池１０１の必要総容量ＣＢＥが蓄電池１０１の定格容量ＣＡ以下（蓄電池１０１の必要総容量ＣＢＥ≦蓄電池１０１の定格容量ＣＡ）であるかどうかを判定する。ここで、蓄電池１０１の必要総容量ＣＢＥが蓄電池１０１の定格容量ＣＡ以下であると判定（Ｙｅｓ）されたら、ステップＳ４５にて、設定した負荷計画（機器の使用計画）で、蓄電池１０１からＡ装置とＢ装置への給電を開始する。
【００４４】
一方、蓄電池１０１の必要総容量ＣＢＥが蓄電池１０１の定格容量ＣＡよりも大きいと判定（Ｎｏ）されたら、ステップＳ４６にて、ステップＳ４１で策定した機器の使用計画を再策定、つまり、直流負荷（各種機器）における投入時期と切離時間（蓄電池１０１の放電開始からの経過時間）を再設定する。この場合、機器の種類や台数を変更することで、直流負荷電流値を再算出してもよい。
【００４５】
ここでは、Ａ装置（電流値１０Ａ）にて、投入時期を３０分後から２０分後に、切離時間を４０分後から３０分後に再設定すると共に、Ｂ装置（電流値７Ａ）にて、切離時間を３０分後から２０分後に再設定する。その後、ステップＳ４２に戻り、以降の処理を再度行う。
【００４６】
なお、ステップＳ４４では、蓄電池１０１の必要総容量ＣＢＥが蓄電池１０１の定格容量ＣＡ以下（蓄電池１０１の必要総容量ＣＢＥ≦蓄電池１０１の定格容量ＣＡ）であるかどうかを判定するようにしたが、この構成に限定されるものではない。例えば、蓄電池１０１の残容量ＣＤが算出されていることから、Ａ装置とＢ装置における必要容量ＣＥが蓄電池１０１の残容量ＣＤ以下であるかどうかを判定するようにしてもよい。
【００４７】
基本的には、上述した各処理を行うことで、機器の使用計画を策定するものであるが、現在の蓄電池１０１の残容量ＣＤでは、必要な機器を作動させることができない場合もある。この場合、蓄電池１０１を充電する必要がある。
【００４８】
上述したステップＳ３５で実行する充電による蓄電池の容量復元計画を策定する方法について説明する。図５のフローチャートに示すように、ステップＳ５１にて、蓄電池１０１の負荷特性を再度読み込む。ステップＳ５２にて、放電電流による現在の蓄電池１０１の使用容量を下記式により算出する。
ＣＢ＝（１／Ｌ）｛Ｋ１Ｉ１＋Ｋ２（Ｉ２−Ｉ１）＋・・・＋Ｋｎ（Ｉｎ−Ｉｎ−１）｝
【００４９】
ステップＳ５３では、蓄電池１０１の充電電流（Ｉｃｈ）、充電時間（Ｔｃｈ）による充電量ＣＦを下記式より想定する。
ＣＦ＝（Ｉｃｈ・Ｔｃｈ・α）＋β
ここで、α、βは、補正係数であり、補正係数αの初期値は、α＝１、補正係数βの初期値は、β＝０とし、蓄電池１０１特性、充電後の放電実績により合わせ込みを行う。
【００５０】
そして、ステップＳ５４にて、充電による復元容量ＣＧを下記式により算出する。
ＣＧ＝ＣＤ＋ＣＦ
【００５１】
その後、充電器１０２により蓄電池１０１の充電を実行する。そして、蓄電池１０１における所定の充電量の復元が完了すると、ステップＳ３３（図３）を実行する。即ち、蓄電池１０１の復元容量ＣＧに基づいて蓄電池１０１の負荷計画、つまり、蓄電池１０１の復元容量ＣＧに基づいて各種機器の使用計画を再策定する。即ち、蓄電池１０１の復元容量ＣＧに基づいてステップＳ４１〜Ｓ４６（図４）の処理を実行する。
【００５２】
この場合、蓄電池１０１を１００％まで充電することで、復元容量ＣＧを定格容量ＣＡとしてもよい。また、ステップＳ４４にて、蓄電池１０１の必要総容量ＣＢＥが蓄電池１０１の定格容量ＣＡよりも大きいと判定（Ｎｏ）されたら、蓄電池１０１の不足容量を推定し、この不足容量だけ充電するようにしてもよい。
【００５３】
このように本実施例の蓄電池の運用管理装置にあっては、蓄電池１０１の放電電流データから負荷特性を作成する負荷特性作成部１１と、蓄電池１０１の初期条件と負荷特性に基づいて蓄電池１０１の残容量を推定する残容量推定部１２と、蓄電池１０１の残容量に基づいて機器の使用計画を策定する機器使用計画策定部１３と、機器の使用計画に基づいて容量換算時間を算出する容量換算時間算出部１４と、蓄電池１０１の定格容量と機器の使用計画及び容量換算時間から算出される蓄電池１０１の必要総容量とを比較して機器の使用計画の是非を判定する判定部１５とを設けている。
【００５４】
従って、判定部１５は、蓄電池１０１の定格容量と機器の使用計画及び容量換算時間から算出される蓄電池１０１の必要総容量とを比較して機器の使用計画の是非を判定するため、今後の機器の運転計画を精度良く策定することができる。即ち、使用中の蓄電池１０１における残存容量を把握することで今後の各種機器の使用計画を容易に策定することができる。
【００５５】
本実施例の蓄電池の運用管理装置では、判定部１５は、蓄電池１０１から放電した使用容量と蓄電池１０１の必要容量の合計値（必要総容量）が蓄電池１０１の定格容量以下となったとき、機器の使用計画を良好と判定する。従って、蓄電池１０１の必要総容量が定格容量以下となったときに機器の使用計画が良好であると判定することで、機器の使用計画の是非を容易に判定することができる。
【００５６】
本実施例の蓄電池の運用管理装置では、判定部１５は、蓄電池１０１の使用容量と必要容量の合計値（必要総容量）が蓄電池１０１の定格容量を超えたとき、機器の使用計画を不良と判定し、機器使用計画策定部１３は、機器の使用計画を変更する。従って、蓄電池１０１の必要総容量が定格容量を超えたときに機器の使用計画が不良であると判定し、機器の使用計画を変更することで、安定した機器の使用計画を策定することができる。
【００５７】
本実施例の蓄電池の運用管理装置では、蓄電池１０１の充電計画を策定する充電計画策定部１６を設け、機器の使用計画の変更が困難であるとき、充電計画策定部１６は、蓄電池１０１の充電計画を策定して充電を実行する。従って、機器の使用計画の変更が困難であるときに蓄電池１０１を充電することで、機器の使用計画を確実に策定することができる。
【００５８】
本実施例の蓄電池の運用管理装置では、充電計画策定部１６は、蓄電池１０１の充電電流と充電時間に基づいて充電量を算出し、残容量に充電量を加算して復元容量を算出する。従って、蓄電池１０１の復元容量を算出することで、充電完了時期を明確化することができる。
【００５９】
本実施例の蓄電池の運用管理装置では、判定部１５は、蓄電池１０１の復元容量を加味して蓄電池１０１の定格容量と蓄電池１０１の必要容量を比較して機器の使用計画の是非を判定する。従って、蓄電池１０１の充電完了時期を明確化して機器の使用計画を早期に策定することができる。
【００６０】
また、本実施例の蓄電池の運用管理方法は、蓄電池１０１の放電電流データから負荷特性を作成する工程と、蓄電池１０１の初期条件と負荷特性に基づいて蓄電池１０１の残容量を推定する工程と、蓄電池１０１の残容量に基づいて機器の使用計画を策定する工程と、機器の使用計画に基づいて容量換算時間を算出する工程と、機器の使用計画及び容量換算時間から算出される蓄電池１０１の必要総容量が蓄電池１０１の定格容量以下となるように機器の使用計画を再策定する工程とを設けている。
【００６１】
従って、今後の機器の運転計画を精度良く策定することができる。即ち、使用中の蓄電池１０１における残存容量を把握することで今後の各種機器の使用計画を容易に策定することができる。
【００６２】
本実施例の蓄電池の運用管理方法では、機器の使用計画の再策定が困難であるとき、蓄電池１０１の充電を実行するようにしている。従って、機器の使用計画の再策定が困難であるときに蓄電池１０１を充電することで、機器の使用計画を確実に策定することができる。
【符号の説明】
【００６３】
１０  制御部
１１  負荷特性作成部
１２  残容量推定部
１３  機器使用計画策定部
１４  容量換算時間算出部
１５  判定部
１６  充電計画策定部
１０１  蓄電池
１０２  充電器
１０３  表示部
【図１】
2014107113.tif 000003
【図２】
2014107113.tif 000004
【図３】
2014107113.tif 000005
【図４】
2014107113.tif 000006
【図５】
2014107113.tif 000007